(57)【要約】【課題】、保管スペースを有効に利用して多くのペット用衣服を保管できるペット用衣服カバーを提供すること。【解決手段】ハンガー２０に吊したペット用衣服を覆うことができるように形成し、その上端には、ハンガー２０のフック部２１を外に突出させるための開口部１１を形成し、下端側には、ハンガー２０のフック部２１を係止可能な貫通孔１２を形成した。また、背面側には、首輪、リードなどのペット用の小物を収納可能なポケット１４を設けた。ペット用衣服カバー１０の下端側に設けた貫通孔１２に別のペット用衣服カバー１０におけるハンガー２０のフック部２１を係止することにより、ペット用衣服カバー１０を上下に複数段連結して使用可能である。【選択図】図１
2005312684.tif 000002
【特許請求の範囲】
【請求項１】
ハンガーに吊したペット用衣服を覆うペット用衣服カバーであって、ハンガーのフック部を外に突出させるための開口部を上端に設け、ハンガーのフック部を係止可能な貫通孔を下端側に設けたことを特徴とするペット用衣服カバー。
【請求項２】
ペット用の小物を収納可能なポケットを有する請求項１記載のペット用衣服カバー。
【発明の詳細な説明】
【技術分野】
【０００１】
本発明は、ハンガーに吊したペット用衣服を覆うためのペット用衣服カバーに関するものである。
【背景技術】
【０００２】
近年、犬、猫等のペットに衣服を着用させることが多くなり、そのペット用衣服を効率的に保管する必要性が高まっている。
【０００３】
従来、人の衣服を保管するためには、特許文献１に記載されているような衣服カバーが使用されている。この衣服カバーは、ハンガーに吊した衣服を覆うことができるように形成され、ハンガーのフック部を外に突出できる開口部を有する。そして、外に突出させたハンガーのフックを洋服ダンスやハンガー掛けに掛けて吊すことにより衣服を保管するようにしている。
【０００４】
しかし、この保管方式をペット用衣服カバーに適用した場合、ペット用衣服カバーは長さ（丈）が短いため、洋服ダンスやハンガー掛けに吊した際にペット用衣服カバーの下方がデッドスペースとなり、保管スペースが有効に利用できないという問題が生じる。
【特許文献１】特開２００２−２０９７０８号公報
【発明の開示】
【発明が解決しようとする課題】
【０００５】
本発明が解決しようとする課題は、保管スペースを有効に利用して多くのペット用衣服を保管できるペット用衣服カバーを提供することにある。
【課題を解決するための手段】
【０００６】
本発明は、ハンガーに吊したペット用衣服を覆うペット用衣服カバーであって、ハンガーのフック部を外に突出させるための開口部を上端に設け、ハンガーのフック部を係止可能な貫通孔を下端側に設けたことを特徴とする。
【０００７】
また、本発明のペット用衣服カバーには、首輪、リードなどのペット用の小物を収納可能なポケットを設けることもできる。
【発明の効果】
【０００８】
本発明によれば、ペット用衣服カバーの下端側に設けた貫通孔に別のペット用衣服カバーにおけるハンガーのフック部を係止することにより、ペット用衣服カバーを上下に複数段連結することができるので、保管スペースを有効に利用して多くのペット用衣服を保管できる。
【０００９】
また、ペット用の小物を収納可能なポケットを設けることにより、ペット用衣服とともに、首輪、リードなどの小物も併せて、お出かけ用セットとして保管できるので、利便性が向上する。
【発明を実施するための最良の形態】
【００１０】
以下、図面に示す実施例に基づき本発明の実施の形態を説明する。
【００１１】
図１は、本発明のペット用衣服カバーの一実施例を示し、（ａ）は正面図、（ｂ）は背面図を示す。
【００１２】
同図に示すペット用衣服カバー１０は、犬・猫用の衣服を保管するためのものであり、長さ（丈）が５０ｃｍ、幅が３０ｃｍ程度の大きさを有する。
【００１３】
このペット用衣服カバー１０は、ハンガー２０に吊したペット用衣服（図示せず）を覆うことができるように形成されており、その上端には、ハンガー２０のフック部２１を外に突出させるための開口部１１が形成されている。また、下端側には、ハンガー２０のフック部２１を係止可能な貫通孔１２が形成されている。
【００１４】
また、ペット用衣服カバー１０の正面側には、ペット用衣服の出し入れをするためにファスナー部１３が設けられ、背面側には、首輪、リードなどのペット用の小物を収納可能なポケット１４が設けられている。
【００１５】
本実施例のペット用衣服カバー１０は、多孔質体を付着させたシートを含む多孔質シート材で形成されている。多孔質体としては、竹炭、木炭、活性炭、珪藻土、ゼオライト等を使用することができる。これらの多孔質体は、ガス等の吸着による消臭性能、吸湿性能、防虫性能、抗菌性能を有する。
【００１６】
具体的には、本実施例で使用した多孔質シート材は、竹炭を１０ミクロン〜１００ミクロンに微粉砕し、ウレタン系樹脂と混合し不織布に含浸させることによって得ることができる。
【００１７】
消臭性、吸湿性に十分な効果を発揮させるためには竹炭を１０ｇ／ｍ２以上付着させる必要があり、望ましくは３０ｇ／ｍ２以上である。竹炭の脱落を防ぐためには好ましくは３０ミクロン以下に微粉砕して使用する。竹炭とウレタン樹脂の混合比率は７：３〜５：５の比率が好ましい。
【００１８】
シートに付着させる多孔質体としては、竹炭に限定されるものではなく、備長炭、ヒノキなどの木炭やヤシガラ活性炭、珪藻土、ゼオライトなどを使用できる。
【００１９】
多孔質体を付着させる基材となるシートとしては、不織布のほか、発泡体、織物、綿などを使用でき、材質は、エステル、ナイロン、綿、レーヨン、ウレタン、ポリプロピレン、ポリエチレン、ウールなどであるが、特に限定されるものではない。
【００２０】
含浸に使用する樹脂はウレタン樹脂に限定されるものではなく、アクリル樹脂、ＳＢＲ樹脂、ＮＢＲ樹脂、エチレン−酢ビ樹脂、ポリエステル樹脂、ポリアミド樹脂なども使用できる。
【００２１】
また、必要に応じて防虫効果のある木酢液、竹酢液を少量添加することにより防虫性能を向上させることができる。他の有機系防虫剤やわさび、ハッカ、とうがらしなどから抽出した天然物由来の防虫剤を添加することもできる。さらに、銅、鉄、亜鉛等の金属を酸化チタンに担持させている酸化触媒を貼着させた多孔質体を使用することにより、消臭性能を半永久的に維持することができる。
【００２２】
図２は、本発明のペット用衣服カバーの使用形態を示す。同図に示すように、ペット用衣服カバー１０の下端側に設けた貫通孔１２に別のペット用衣服カバー１０におけるハンガー２０のフック部２１を係止することにより、ペット用衣服カバー１０を上下に複数段連結する。そして、最上段のペット用衣服カバー１０におけるハンガー２０のフック部２１を洋服ダンスやハンガー掛けに掛けて吊すことにより多数のペット用衣服を効率的に保管する。
【００２３】
なお、実施例では、ペット用衣服カバー１０を多孔質シート材によって形成したが、これに限定されるものではなく、一般的なシート材によって形成してもよい。また、実施例では、ペット用衣服カバー１０の背面側にポケット１４を設けたが、正面側に設けてもよいし、正面側と背面側の両方に設けてもよい。
【産業上の利用可能性】
【００２４】
本発明のペット用衣服カバーは、犬・猫用の衣服のほか、小動物用の衣服を保管するためにも使用できる。
【図面の簡単な説明】
【００２５】
【図１】本発明のペット用衣服カバーの一実施例を示し、（ａ）は正面図、（ｂ）は背面図を示す。
【図２】本発明のペット用衣服カバーの使用形態を示す。
【符号の説明】
【００２６】
１０  ペット用衣服カバー
１１  開口部
１２  貫通孔
１３  ファスナー部
１４  ポケット
２０  ハンガー
２１  フック部
【図１】
2005312684.tif 000003
【図２】
2005312684.tif 000004